(57)【要約】【課題】折畳傘の開閉作動機能を損なわせることなく、折畳時の形状を大幅に小径化し得る携帯の利便性に優れた折畳式傘を提供する。【解決手段】元親骨４１先端に一端を枢支した第１ダボ金具６１、第１ダボ金具６１他端と受骨４５とに両端が枢支されて元親骨４１に対する平行リンクとして機能する第１ワイヤー状連杆５１、第１ダボ金具６１両端の枢支部間に設けた係合孔６１ｃに基端がピン係合され、元親骨４１と第１ダボ金具６１との枢支部に同軸に枢支された中親骨４２、中親骨４２先端に一端が枢支された第２ダボ金具６２、第２ダボ金具６２他端と元親骨４１とに両端が枢支されて中親骨４２に対する平行リンクとして機能する第２ワイヤー状連杆５２とを備え、第１ダボ金具６１に形成される係合孔６１ｃがこれに係合するピンの揺動を許容する長孔に形成される。【選択図】図７
2008142124.tif 000002
【特許請求の範囲】
【請求項１】
多段伸縮式の中棒の上端部に固定された上ロクロと、
該上ロクロの下方にて該中棒に摺動自在に案内される下ロクロと、
該上ロクロに基端が枢支された元親骨と、
該下ロクロに基端が枢支されるとともに先端が該元親骨の中央部に枢支された受骨と、
該元親骨の先端に一端が枢支された第１ダボ金具と、
該第１ダボ金具の他端と該受骨とに両端が枢支されて架橋配置され、該元親骨に対する平行リンクとして機能する第１ワイヤー状連杆と、
該第１ダボ金具両端の枢支部間に位置して形成された係合孔に基端がピンを介して係合されると共に、該元親骨と該第１ダボ金具との枢支部に同軸に枢支された中親骨と、
該中親骨の先端に一端が枢支された第２ダボ金具と、
該第２ダボ金具の他端と該元親骨とに両端が枢支されて架橋配置され、該中親骨に対する平行リンクとして機能する第２ワイヤー状連杆と、  
該第２ダボ金具両端の枢支部間に位置して形成された係合孔に基端がピンを介して係合されると共に、該中親骨と該第２ダボ金具との枢支部に同軸に枢支された先親骨と、
を備え、
該第１ダボ金具と該第２ダボ金具とに形成される係合孔の少なくともいずれか一方が、該係合孔に係合するピンの揺動を許容する長孔に形成されていることを特徴とする折畳式傘。
【請求項２】
請求項１において、前記第１ダボ金具と前記第２ダボ金具とに形成される係合孔の双方が、該係合孔に係合するピンの揺動を許容する長孔に形成されていることを特徴とする折畳式傘。
【請求項３】
請求項１または２において、前記第１ダボ金具を介して連繋される前記元親骨と中親骨との相互位置、および前記第２ダボ金具を介して連繋される前記中親骨と先親骨との相互位置に関し、少なくともそのいずれか一方の相互位置が周方向に相対的にずらされていることを特徴とする折畳傘。
【請求項４】
請求項１または２において、前記第１ダボ金具を介して連繋される前記元親骨と中親骨との相互位置、および前記第２ダボ金具を介して連繋される前記中親骨と先親骨との相互位置に関し、その双方の相互位置が周方向に相対的にずらされていることを特徴とする折畳傘。
【発明の詳細な説明】
【技術分野】
【０００１】
本発明は折畳式傘に関し、たとえば３分割の親骨を備えた３つ折り式の折畳式傘に適用して有効なものに関する。
【背景技術】
【０００２】
折畳式傘は、図８に示すように、伸縮式中棒１０、上ロクロ２１、下ロクロ２２、折畳式親骨４０、受骨４５などによって構成されている。伸縮式中棒１０は入れ子パイプによる３段伸縮式であって、上端には石突１１、下端には手先１２がそれぞれ取り付けられている。また、下ロクロ２２を開傘位置に係脱自在に係止するためのハジキ１３が取り付けられている。
【０００３】
上ロクロ２１は伸縮式中棒１０の上部に固定され、下ロクロ２２は上ロクロ２１の下方にて上記中棒１０に摺動自在に案内される。上ロクロ２１は親骨４０の基端、下ロクロ２２は受骨４５の基端（下端）をそれぞれ枢支している。
【０００４】
親骨４０は、元親骨４１、中親骨４２、先親骨４３の３本分割構成であって、元親骨４１の基端部が上ロクロ２１に枢支されている。元親骨４１の先端には第１ダボ金具６１がその一端を枢支されて付けられている。この第１ダボ金具６１は内側に溝部を形成するように断面Ｕ字状の形状をなしており、元親骨４１の先端はその溝部内に入り込んでピン４１ｂを介して当該第１ダボ金具６１を回動自在に枢支している。そして、この第１ダボ金具６１の他端と受骨４５との間には、それらに両端が枢支されて元親骨４１に対して平行リンクとして機能する第１ワイヤー状連杆５１が架橋配置されている。
【０００５】
また、中親骨４２はその基端が上記第１ダボ金具６１の溝部内に挿入されて一体的に取り付けられており、中親骨４２の先端側は元親骨４１側から当該第１ダボ金具６１の長手方向に沿って延出されている。
【０００６】
中親骨４２の先端には、先親骨４３の基端を一体的に支持した第２ダボ金具６２の一端が枢支されている。この第２ダボ金具６２も上記第１ダボ金具６１と同様に、内側に溝部を形成するように断面Ｕ字状の形状をなしており、中親骨４２の先端はその溝部内に入り込んでピン４２ｂを介して当該第２ダボ金具６２を回動自在に枢支している。
【０００７】
この第２ダボ金具６２は、これに一体化されて取り付けられた先親骨４３の延出方向とは逆の反対側に向けて延長形成されており、その延長端と元親骨４１との間には、それらに両端が枢支されて中親骨４２に対して平行リンクとして機能する第２ワイヤー状連杆５２が架橋配置されている。ここで、この第２ワイヤー状連杆５２は、その中間部が中親骨４２の中間部に遊動可能に拘束されている。
【０００８】
すなわち、この折畳式傘は、第１ワイヤー状連杆５１が元親骨４１の平行リンクとして機能すると同時に、第２ワイヤー状連杆５２が中親骨４２の平行リンクとして機能することによって、下ロクロ２２の上下移動に従動して元親骨４１と中親骨４２と先親骨４３とがそれぞれ相対的に屈曲し、その開閉作動がおこなわれるようになっている（たとえば、特許文献１参照）。
【特許文献１】特開２００３−１８９９１６
【発明の開示】
【発明が解決しようとする課題】
【０００９】
ところで、この種の折畳式傘にあっては、その開閉作動機能を損なわせることなく小型化を図り、折畳時の携帯性（携帯の便宜性）を高めることが最大の課題となっている。たとえば、カバンや書類ケースなどに収容して携帯するためには、折畳時の形状をできるだけ細くして小径化することが望ましい。ここで、当該折畳時の小径化は、親骨４０を細くすることである程度まではなし得る。しかしながら、構造強度の低下を伴うため、その小径化には限度がある。
【００１０】
上記の様な技術的な背景の下で、本発明者は上記小径化の促進を図るべく鋭意研究開発を進めていった。そして、その結果として、たとえば図８に示した従来の折畳式傘にあっては、次のような問題点を有していることが明らかになった。
【００１１】
すなわち、同図に示すような従来の折畳式傘では、中親骨４２はＵ字状の第１ダボ金具６１に一体化され、また先親骨４３はやはりＵ字状の第２ダボ金具６２に一体化されていたので、折畳状態となした際には、第１ダボ金具６１の溝部に先端が挿入されて連結されている元親骨４１と中親骨４２とが径方向の内外で重なり合ってしまうとともに、同様に第２ダボ金具６２の溝部に先端が挿入されて連結されている中親骨４２と先親骨４３とが径方向の内外で重なり合ってしまう。
【００１２】
しかも、元親骨４１の外側に配される中親骨４２及び中親骨の外側に配される先親骨４３は、それぞれ閉傘状態時において、その先端側が必然的に開傘側に広がろうとするので、当該先端側を中棒寄りに近づけて内側に入り込ませることができない。また、折畳時に外周囲に傘布をタイトに巻き付けることも困難であって小径化させ難い。無理にタイトに巻き付ければ、傘骨に常時大きな応力が加わり続けてしまい、部材の変形や損傷、強度劣化を引き起こすことにもなる。つまり、分割した親骨４０の中親骨４２及び先親骨４３をダボ金具６１，６２に一体化させて取り付けていたことが折畳時の形状を小径化する上で大きな支障となっていた。
【００１３】
本発明は以上のような問題に鑑みてなされたものであり、その目的は、傘の開閉作動機能を損なわせることなく、折畳時の形状を大幅に細径化（スリム化）して携帯の利便性を高められるようにした折畳式傘を提供することにある。
【００１４】
本発明の上記以外の目的および構成については、本明細書の記述および添付図面からあきらかになるであろう。
【課題を解決するための手段】
【００１５】
本発明が提供する解決手段は以下のとおりである。
【００１６】
（１）多段伸縮式の中棒の上端部に固定された上ロクロと、該上ロクロの下方にて該中棒に摺動自在に案内される下ロクロと、該上ロクロに基端が枢支された元親骨と、該下ロクロに基端が枢支されるとともに先端が該元親骨の中央部に枢支された受骨と、該元親骨の先端に一端が枢支された第１ダボ金具と、該第１ダボ金具の他端と該受骨とに両端が枢支されて架橋配置され、該元親骨に対する平行リンクとして機能する第１ワイヤー状連杆と、該第１ダボ金具両端の枢支部間に位置して形成された係合孔に基端がピンを介して係合されると共に、該元親骨と該第１ダボ金具との枢支部に同軸に枢支された中親骨と、該中親骨の先端に一端が枢支された第２ダボ金具と、該第２ダボ金具の他端と該元親骨とに両端が枢支されて架橋配置され、該中親骨に対する平行リンクとして機能する第２ワイヤー状連杆と、該第２ダボ金具両端の枢支部間に位置して形成された係合孔に基端がピンを介して係合されると共に、該中親骨と該第２ダボ金具との枢支部に同軸に枢支された先親骨とを備え、該第１ダボ金具と該第２ダボ金具とに形成される係合孔の少なくともいずれか一方が、該係合孔に係合するピンの揺動を許容する長孔に形成されていることを特徴とする折畳式傘。
【００１７】
（２）上記手段（１）において、前記第１ダボ金具と前記第２ダボ金具とに形成される係合孔の双方が、該係合孔に係合するピンの揺動を許容する長孔に形成されていることを特徴とする折畳式傘。
【００１８】
（３）上記手段（１）または（２）において、前記第１ダボ金具を介して連繋される前記元親骨と中親骨との相互位置、および前記第２ダボ金具を介して連繋される前記中親骨と先親骨との相互位置に関し、少なくともそのいずれか一方の相互位置が周方向に相対的にずらされていることを特徴とする折畳傘。
【００１９】
（４）上記手段（１）または（２）において、前記第１ダボ金具を介して連繋される前記元親骨と中親骨との相互位置、および前記第２ダボ金具を介して連繋される前記中親骨と先親骨との相互位置に関し、その双方の相互位置が周方向に相対的にずらされていることを特徴とする折畳傘。
【発明の効果】
【００２０】
折畳傘の開閉作動機能を損なうことなく、折畳時の形状を大幅に小径化して携帯の利便性を高めた折畳式傘を提供できる。
【００２１】
上記以外の作用／効果については、本明細書の記述および添付図面からあきらかになるであろう。
【発明を実施するための最良の形態】
【００２２】
図１〜図７は、本発明に係る折畳式傘の一実施形態を示す。ここで、図１は開傘状態の側面図、図２は開傘状態を下方から見た底面図である。また、図３は折畳途中の傘骨の状態を説明する省略側面図であって、説明の便宜上、傘骨は１組だけを示しており、同図（ａ）は折畳の中間状態、同図（ｂ）は折畳終了前状態である。また、図４（ａ）は図３に示す傘骨の開傘状態を示したものであり、同図（ｂ）はその背面図である。なお、本実施形態にあって、図８の従来の折畳傘と同一の部材には同一の符号を付して説明する。
【００２３】
図１〜図４に示すように、この実施形態の折畳傘は、入れ子パイプによる３段伸縮式伸縮式中棒１０と、この伸縮式中棒１０を中心にして放射状に配設された５組の傘骨３０、及びこれらの傘骨３０に支持された傘布３２を備えている。伸縮式中棒１０の上端部には石突１１が取り付けられ、下端にはカップ状の手先１２が取り付けられている。傘骨３０は折畳式親骨４０と受骨４５とからなり、傘布３２は折畳式親骨４０に支持されている。
【００２４】
図３に示すように、伸縮式中棒１０には、上端の石突１１の直下に固定されて上ロクロ２１が設けられている。また、この上ロクロ２１の下方には中棒１０に摺動自在に案内されて上下に移動する下ロクロ２２が設けられている。また、伸縮式中棒１０には、図示を省略しているが、図８の従来例と同様に、下ロクロ２２を開傘位置に係脱自在に係止するためのハジキが取り付けられている。
【００２５】
上ロクロ２１は折畳式の親骨４０の基端部を枢支し、下ロクロ２２は受骨４５の基端部（下端）をそれぞれ枢支している。ここで、親骨４０は、元親骨４１と中親骨４２と先親骨４３とからなる３本分割構成となっており、元親骨４１の基端部が上ロクロ２１に枢支されている。そして、この元親骨４１の先端には、第１ダボ金具６１がその一端を枢支されて設けられている。また、この第１ダボ金具６１の他端と受骨４５とに両端が枢支されて、元親骨４１に対する平行リンクとして機能する第１ワイヤー状連杆５１が架橋されて配置されている。即ち、元親骨４１と受骨４５と第１ダボ金具６１及び第１ワイヤー状連杆５１とは一種の平行四辺形リンクとして機能するようになっている。
【００２６】
ここで、図５（ａ）は図４(ａ)を図示する下側から見た下面図で、図５（ｂ）は図４(ａ)を図示する上側から見た上面図であり、図６は第１ダボ金具６１を拡大して示した側面図、図７は図３中の要部を示すとともにその一部を拡大して示した図である。これらの図５〜図７によって、さらに第１ダボ金具６１と元親骨４１、中親骨４２、第１ワイヤー状連杆５１との関係を以下に詳述する。
【００２７】
図５に示すように、第１ダボ金具６１は内側に溝部を形成するように断面がＵ字状をなした形状とされている。また図６に示すように、第１ダボ金具６１には、その両端部の側壁部にそれぞれ真円のピン孔６１ａ，６１ｂが形成されているとともに、これらのピン孔６１ａ，６１ｂの間には、係合孔６１ｃが当該側壁の立上り方向に沿って長孔状に形成されている。
【００２８】
そして、図５（ａ）のＡ部拡大図に示すように、元親骨４１はその先端４１ａが第１ダボ金具６１の溝部内に挿入されて、当該第１ダボ金具６１の一端側に形成されたピン孔に枢支ピン４１ｂを介して連結されて、第１ダボ金具６１を枢支している。一方、第１ワイヤー状連杆５１は、図５（ｂ）のＡ部拡大図に示すように、その一端５１ａが第１ダボ金具６１の溝部内に入り込んで、当該第１ダボ金具６１の他端側に形成されたピン孔に枢支ピン５１ｂを介して連結されている。
【００２９】
また、図５（ａ），（ｂ）に示すように、中親骨４２はその基端４２ａが上記第１ダボ金具６１の側壁の外面側に取り付けられている。即ち、中親骨４２はその基端４２ａが上記係合孔６１ｃ（図６参照）に係合ピン４２ｂを介して係合されると共に、元親骨４１と第１ダボ金具６１とを連結する枢支ピン４１ｂによって同軸に枢支されて第１ダボ金具６１に取り付けられ、かつ、当該中親骨４２は、第１ダボ金具６１の長手方向に沿って先端側が延出している。つまり、第１ダボ金具６１に形成される係合孔６１ｃが、当該係合孔６１ｃに係合するピン４２ｂの揺動を許容する長孔に形成されているので、枢支ピン４１ｂを中心に回動する中親骨４２は、上記長孔状の係合孔６１ｃの寸法分が遊び域となって、第１ダボ金具６１と元親骨４１とに対して相対的に揺動し得るようになっている。また、第１ダボ金具６１を介して連繋される元親骨４１と中親骨４２との相互位置は、中親骨４２が第１ダボ金具６１の側壁の外面側に枢支ピン４１ｂによって同軸に取り付けられることによって当該枢支ピン４１ｂの軸方向、つまり傘の周方向に相対的にずらされている。
【００３０】
図３に示すように、中親骨４２の先端には、第２ダボ金具６２がその一端を枢支されて取り付けられている。また、この第２ダボ金具６２の他端と元親骨４１とには、これらに両端が枢支されて第２ワイヤー状連杆５２が架橋配置されていて、この第２ワイヤー状連杆５２は中親骨４２に対する平行リンクとして機能する。この第２ワイヤー状連杆５２の中間部はループ部５２１にて中親骨４２の中間部に遊動可能に拘束されている。即ち、元親骨４１と中親骨４２と第２ダボ金具６２及び第２ワイヤー状連杆５２とは一種の平行四辺形リンクとして機能するようになっている。
【００３１】
ここで、詳しく図示はしないが、中親骨４２と第２ダボ金具６２と第２ワイヤー状連杆５２及び元親骨４１との関係も、前述した元親骨４１と受骨４５と第１ダボ金具６１及び第１ワイヤー状連杆５１との関係と同様になっている。即ち、第２ダボ金具６２は、やはり内側に溝部を形成するように断面がＵ字状をなした形状とされており、その両端部の側壁部にそれぞれ真円のピン孔が形成されている。そして、図３に示すように、中親骨４２はその先端４２ｃが第２ダボ金具６２の溝部内に入り込んで、その一端側のピン孔に枢支ピン４２ｄを介して連結されて、第２ダボ金具６２を枢支している。
【００３２】
一方、第２ワイヤー状連杆５２はその一端５２ａが第２ダボ金具６２の溝部内に入り込んで、当該第２ダボ金具６２の他端のピン孔に差し込まれて回動自在に連結されている。また、第２ダボ金具６２には、その両端に形成されて枢支部として機能するピン孔間に位置して係合孔が設けられており、この係合孔は側壁の立ち上がり方向に沿った長孔に形成されている。
【００３３】
そして、先親骨４３はその基端４３ａが上記第２ダボ金具６２の側壁の外面側に取り付けられている。即ち、先親骨４３はその基端４３ａが第２ダボ金具６２の係合孔に係合ピン４３ｂを介して係合されると共に、中親骨４２と第２ダボ金具６２とを連結する枢支ピン４２ｄによって同軸に枢支されて第２ダボ金具６２に取り付けられ、かつ、当該先親骨４３は、第２ダボ金具６２の長手方向に沿って先端側が延出し、その先端には露先４３１が設けられている。つまり、第２ダボ金具６２に形成される係合孔が、当該係合孔に係合するピン４３ｂの揺動を許容する長孔に形成されており、先親骨４３は第２ダボ金具６２と中親骨４２とに対し、その係合孔が長孔に形成されている分が遊びとなって相対的に揺動し得るようになっている。また、第２ダボ金具６２を介して連繋される中親骨４２と先親骨４３との相互位置は、先親骨４３が第２ダボ金具６２の側壁の外面側に枢支ピン４２ｄによって同軸に取り付けられることによって当該枢支ピン４２ｄの軸方向、つまり傘の周方向に相対的にずらされている。
【００３４】
従って、以上のように構成された傘骨３０は、図３に示すように、下ロクロ２２の上下移動に伴って屈伸して傘を開閉させることになる。即ち、図３（ｂ）の閉傘状態から下ロクロ２２を上方に押し上げると、受骨４５の先端が元親骨４１の中間部を上方に押し上げていく。そして、これに伴って元親骨４１と受骨４５、第１ダボ金具６１、第１ワイヤー状連杆５１とで構成される平行四辺形リンクが、扁平に潰れた状態から図３（ａ）に示すように長方形を呈するように変形していき、第１ダボ金具６１に基端を係止された中親骨４２の先端側が元親骨４１から離間して拡開していく。このとき、元親骨４１と中親骨４２、第２ダボ金具６２、第２ワイヤー状連杆５２とで構成される四辺形リンクも扁平に潰れた状態から長方形に近い状態へと変形ししつつ従動していく。そして、第２ダボ金具６２に基端側が係止されている先親骨４３もその先端側が中親骨４２から離間して拡開していく。
【００３５】
そして、さらに下ロクロ２２が上方に移動されていくと、図４に示すように、元親骨４１と受骨４５、第１ダボ金具６１、第１ワイヤー状連杆５１とで構成される平行四辺形リンクは折畳時とは逆側に向けて扁平に潰れていき、元親骨４１と中親骨４２とが略一直線状になって伸長する。また、図示していないが、先親骨４３も中親骨４２に対して略一直線状になって伸長し、開傘状態となる。なお、閉傘時には、上記開傘時の逆動作となる。また、当該下ロクロ２２の上下移動に従動した親骨４０の屈伸動作に際しては、第１，第２ワイヤー状連杆５１，５２によってバネアクションをともないながら従動するようになっている。
【００３６】
ところで、図７は元親骨４１に対する中親骨４２の遊動範囲を説明する図でもあり、（ａ）は閉傘側に寄った状態を示し、（ｂ）は中間状態を示し、（ｃ）は開傘側に寄った状態を示している。即ち、同図に示すように、中親骨４２は第１ダボ金具６１に対して基端側が枢支ピン４２ａを介して回動自在に枢支されるとともに、長孔状の係合孔６１ｃにピン４２ｂを介して係合されているから、元親骨４１と第１ダボ金具６１と第１ワイヤー状連杆５１、及び受骨４５とからなる平行四辺形リングが変形しない固定状態に保たれていても、当該中親骨４２は係合孔６１ｃの長孔の寸法分が遊び域となっているから、その分だけ、先端側が開傘側と閉傘側とに向けて自由に揺れて遊動し得る。但し、この遊動は、図１に示すように、開傘時に傘布３２が張り詰められた状態になると、その張力によって傘骨３０が開傘側に向けて付勢されてその揺動が規制されることになる。つまり、上記遊動は傘布３２に張力が生じていない状態で常時可能となる。
【００３７】
ここで、当該折畳式傘を完全に閉傘状態にすると、元親骨４１と受骨４５と第１ダボ金具６１と第１ワイヤー状連杆５１とがなす平行四辺形リンクは扁平に完全に潰れた状態となる。このとき、その第１ダボ金具６１を介して連結された元親骨４１と中親骨４２とは、それらの相互位置が枢支ピン４１ｂの軸方向である傘の周方向に相対的にずらされているので、元親骨４１の先端側と中親骨４２の基端側とが径方向の内外で重なり合ってしまうことがなく、相互に周方向に逃げて側方で重なり合うことになる。
【００３８】
しかも、中親骨４２は枢支ピン４１ｂを支点として回動し、長孔状の係合孔６１ｃの寸法分だけ、元親骨４１と第１ダボ金具６１とに対して遊動し得るので、５本の中親骨４２の各先端側は、中棒１０に向けて元親骨４１を越えてその内側に抵抗無く容易に入り込める。即ち、中親骨４２の各先端は、上ロクロ２１に枢支された各元親骨４１の基端部間に抵抗無く容易に入り込むことができる。
【００３９】
また、この中親骨４２の先端に結合された先親骨４３も、同様の構成で第２ダボ金具６２に結合されているので、５本設けられている親骨４０は、それぞれの先親骨４３の各先端は、隣接配置された親骨４０の元親骨４１と中親骨４２との連結部間、つまり第１ダボ金具６１間に抵抗無く容易に入り込むことができる。
【００４０】
さらに、このように完全に閉じた状態の折畳傘の傘布３２を、その外周囲にきつく巻き付けても、元親骨４１と中親骨４２、及び中親骨４２と先親骨４３とは径方向に所定の範囲で自由に遊動し得るから、その巻付力によってそれらの親骨４０に大きな弾性変形を来すことが無い。このため、傘布３２を可及的にタイトに、しかも容易に外周に巻き付けて小径化を図ることができるばかりか、親骨４０や傘布３２に無理な力が加わって過大な応力が作用してしまうことを防止でき、親骨４０と傘布３２との耐久性の向上も図ることができる。
【００４１】
即ち、以上のことから、傘の折畳時には、親骨４０の主要部分、すなわち元親骨４１と中親骨４２と先親骨４３とが上下のロクロ２１，２２の外径に近い径にまで細く折り畳まれるようになる。この結果、下ロクロ２２の上下動に従動する傘の開閉作動機能を損なわせることなく、これを維持したまま、折畳時の形状を大幅に小径化することが可能になり、携帯の利便性を高めることができるようになる。
【００４２】
以上、本発明について、その代表的な実施例に基づいて説明したが、本発明は上述した以外にも種々の態様が可能である。たとえば、上述した実施形態では、第１ダボ金具６１と第２ダボ金具６２との双方に長穴状の係合孔を設けて、第１ダボ金具６１に対して中親骨４２を揺動可能にするとともに、第２ダボ金具６２に対しても先親骨４３を揺動可能に取り付けるようにしているが、そのいずれか一方のみを揺動可能にするだけでも良い。つまり、第１ダボ金具６１と第２ダボ金具６２とに設ける係合孔は、少なくともそのいずれか一方のみを長孔に形成し、他方は真円に形成して揺動し得ないようにしても、折畳時の小径化を図ることができる。
【００４３】
また、上述した実施形態では、元親骨４１と中親骨４２、及び中親骨４２と先親骨４３との双方の結合部において、それら各分割された親骨同士の相互位置を周方向に相対的にずらしているが、これも元親骨４１と中親骨４２との結合部、あるいは中親骨４２と先親骨４３との結合部のいずれか一方のみとするようにしても良い。即ち、少なくともいずれか一方の結合部において、分割された親骨の相互位置を周方向にずらすようにするだけでも、折畳時の小径化を効果的に図ることができる。
【００４４】
なお、本発明にあっては、必ずしも分割された親骨同士の結合部でその相互位置を周方向にずらせる必要はない。即ち、例えばＵ字状に形成されたダボ金具内に分割された親骨の双方の端部を挿入し、その各分割された親骨をそれぞれ別部材の枢支ピンで回動自在に枢支し、双方の分割された親骨が折畳時に径方向の内外で重なるようにしても、外側に配置される分割親骨をダボ金具に形成した長孔の係合孔で係止して、その揺動範囲を規制しつつ遊動可能となすことによって小径化を図ることができる。即ち、ダボ金具に一方の分割親骨が一体化されていて遊動し得なかった従来の折畳傘と比して、その遊動によって先端側を中棒に近接させてより内方に入り込ませることができるので、可及的な小径化が図れる。また、ダボ金具と分割親骨とを一体化させて延出させている従来の折畳傘では、その分割親骨の先端側は必然的に開傘側に広がろうとするので、外周囲に傘布をタイトに巻き付けることが、遊動可能と成した本発明品に比して困難であり、無理に巻き付ければ、傘骨３０に常時大きな応力が加わり続けて、部材の変形や損傷、強度劣化等を引き起こすことにもなるが、本発明品であれば、そのような変形や損傷、強度劣化等の発生を可及的に防止しつつ、折畳時の小径化を図ることができるようになる。また、本発明は、３つ折り式以外に、４つ折り式の折畳式傘にも適用して有効である。
【産業上の利用可能性】
【００４５】
折畳傘の開閉作動機能を損なわせることなくこれを維持して、折畳時の形状を大幅に小径化して携帯の利便性を高めた折畳式傘を提供できる。
【図面の簡単な説明】
【００４６】
【図１】本発明による折畳式傘の一実施形態を示す開傘状態の側面図である。
【図２】本発明による折畳式傘の開傘状態を下方から見た底面図である。
【００４７】
折畳状態を示す省略側面図および要部切断面図である。
【図３】本発明の折畳式傘の折畳途中の傘骨の状態を説明する省略側面図であって、（ａ）は折畳の中間状態、（ｂ）は折畳終了前状態を示すものである。
【００４８】
折畳外観と従来の折畳式傘の折畳外観を示す斜視図である。
【図４】（ａ）は図３に示す傘骨の開傘状態を示したものであり、（ｂ）は（ａ）その背面図である。
【図５】（ａ）は図４(ａ)を図示する下側から見た下面図で、（ｂ）は図４(ａ)を図示する上側から見た上面図である。
【図６】第１ダボ金具６１を拡大して示した側面図である。
【図７】図３中の要部とその一部を拡大して示すと共に、元親骨に対する中親骨の遊動範囲を説明する図であり、（ａ）は閉傘側に寄った状態を示し、（ｂ）は中間状態を示し、（ｃ）は開傘側に寄った状態を示すものである。
【図８】従来の折畳式傘の折畳状態を示す省略側面図である。
【符号の説明】
【００４９】
１０  伸縮式中棒
１１  石突
１２  手先
２１  上ロクロ
２２  下ロクロ
３０  傘骨
４０  折畳式親骨
４１  元親骨
４１ａ  先端
４１ｂ  枢支ピン
４２  中親骨
４２ａ  基端
４２ｂ  係合ピン
４２ｃ  先端
４２ｄ  枢支ピン
４３  先親骨
４３ａ  基端
４３ｂ  係合ピン
４３１  露先
４５  受骨、
５１  第１ワイヤー状連杆
５１ａ  先端
５２  第２ワイヤー状連杆
５２ａ  先端
５２１  ループ部、
６１  第１ダボ金具
６１ａ，６１ｂ  ピン孔
６１ｃ  係合孔
６２  第２ダボ金具
【図１】
2008142124.tif 000003
【図２】
2008142124.tif 000004
【図３】
2008142124.tif 000005
【図４】
2008142124.tif 000006
【図５】
2008142124.tif 000007
【図６】
2008142124.tif 000008
【図７】
2008142124.tif 000009
【図８】
2008142124.tif 000010